(57)【要約】【課題】  自在の電池挿脱性を備え、電池の公差を問う事なく電池収納室内でのガタつきを防止する構造を備えた電池ケースを提供すること。【解決手段】  可動壁１３は、電池１１に対して付勢された状態とする。電池ケース内でガタつきを発生させる事が不可能と状態となる。【選択図】  図１
2009129828.tif 000002
【特許請求の範囲】
【請求項１】
挿脱可能な電池を充填する電池収納室の開口部に、開閉操作可能である電池蓋を有する電子機器であって、
電池収納室内の２面から、電池挿入方向と直行する方向に、移動自在な可動壁を有する電池ケースを備えることを特徴とする電子機器。
【請求項２】
挿脱可能な電池を充填する電池収納室の開口部に、開閉操作可能である電池蓋を有する電子機器であって、
電池収納室内の２面から、電池挿入方向と直行する方向に、移動自在な可動壁と、電池蓋の開閉に連動して可動壁を移動させる機構を有する電池ケースを備えることを特徴とする電子機器。
【請求項３】
請求項１に記載の電子機器において、
電池蓋閉時には可動壁を移動させる機構により、可動壁が電池収納室内で、電池が移動する事を制限する事を特徴とする電子機器。
【請求項４】
請求項１に記載の電子機器において、
電池蓋開時には可動壁を移動させる機構により、可動壁が電池の挿脱を妨げない位置に移動させる事を特徴とする電子機器。
【請求項５】
請求項１に記載の電子機器において、
電池蓋閉時には可動壁を移動させる機構により、可動壁が電池収納室の容積を減少させる方向に対して移動し、電池の2面に対して付勢を行い、電池が電池収納室内で移動することを制限する構造を特徴とする電子機器。
【請求項６】
請求項１に記載の電子機器において、
電池蓋開時には可動壁を移動させる機構により、可動壁が電池収納室の容積を増加させる方向に対して移動し、電池の2面に対する付勢を解除し、電池の挿脱を妨げない位置に移動させる事を特徴とする電子機器。
【請求項７】
請求項１に記載の電子機器において、
可動壁は電池の接点ばねに抗する方向に対して移動し、電力供給をより安定させる事を特徴とする電子機器。
【発明の詳細な説明】
【技術分野】
【０００１】
本発明は、電池ケース、および撮像装置などの電子機器に係り、特に角柱状の電池、または充電池を収納可能な電池ケース、及び、前記の電池ケースを備えた電子機器に関するものである。
【背景技術】
【０００２】
電池を電源とする電気機器は、通常、電池ケースが電気機器本体と一体または別体に備えられている。電池自体は汎用性を持たせる為に、その外形寸法に関して他の部品と比べても大きな公差を有している。電気機器は公差内で作られた全ての電池にて動作を行う為には、最大公差で作られた電池よりも大きな内寸を持つ電池ケースが必要だが、この電池ケースに最小公差で作られた電池を挿入すると、電池ケース内でガタが発生し、落下衝撃時に接触不良や電圧低下を発生させる原因となっていた。
【０００３】
また、電池ケース内に収納された電池の電極表面部分には酸化被膜が発生しやすく、これにより電池ケース側に設けられた端子との間の電気抵抗が増大するという問題点があった。
【０００４】
これら問題点を解決するために、公知のものとして電池ケース内に、電池を付勢する電池収納室の一部を利用した、樹脂ばねを設け電池を片側に寄せる構造があるが、この構造だと電池挿脱時に引っかかり感があり、良好な動作とはいい難い。
【０００５】
また、特許文献１に記載された電池ケースは図５に示す通り、回転ローラ２６が回転運動を起すことによって、回転ローラ２６と擦りあわされた状態にある電池Ｅの回転運動により、接点Ｓと電極Ｅｃとが擦り合わされ、電池の動きを規制し、かつ、酸化被膜を除去する構造だが、様々な電池の表面状態がある中、摩擦力にのみ頼る構造でありかつ、円筒型電池でのみ成立する構造である。
【特許文献１】特開2004-363011号公報
【発明の開示】
【発明が解決しようとする課題】
【０００６】
本発明は上記事実を考慮されて成されたものであり、自在の電池挿脱性を備え、電池の公差を問う事なく電池収納室内でのガタつきを制限する構造を備えた電池ケースを提供することを目的とする。
【課題を解決するための手段】
【０００７】
上記目的を達成するために、本発明における電池ケースは、挿脱可能の電池を装填する電池収納室の開口部に、開閉操作可能な電池蓋を有する電子機器であって、正極・負極の電極に、電池と当接する接触部に導電性のバネ材を付勢させる導電部材を持つことを特徴としている電子機器である。
【０００８】
又、請求項１記載の電池ケースは、電池収納室の内壁とほぼ同一面に、電池挿入方向に鉛直な方向かつ、電池収納室内の少なくとも2面から、電池挿入方向と直行する方向に、移動自在な可動壁を有する事を特徴としている電子機器である。
【０００９】
更に、請求項１に記載の電池ケースは、電池蓋開時には蓋の開閉動作と連動する事により可動壁を電池収納室の内壁とほぼ同一面に保つ機構を有する電子機器である。
【００１０】
更に、請求項１に記載の電池ケースは、電池蓋閉時には蓋の開閉動作と連動する事により可動壁を電池収納室の内壁とほぼ同一面から、電池収納室内の容積を減少させる方向に移動を行い、電池が電池収納室内に挿入されている際には、電池蓋を開く作業を行われるまでの間、その移動方向に付勢をし続ける機構を有する事を特徴とする電子機器である。
【発明の効果】
【００１１】
以上説明したように、本発明によって、電子機器における電池の装填状態において、電池外形寸法の公差のばらつきに関わらず電池収納室内でのガタつきを防止することが可能となる。
【発明を実施するための最良の形態】
【００１２】
次に、本発明の詳細を実施例の記述に従って説明する。
【実施例１】
【００１３】
本発明による電池ケースを用いた電気機器の例として撮像装置の実施の形態を図２から図６を用いて示す。
【００１４】
図２は本発明を用いた電気機器の例として撮像装置１の電池蓋１４を開放した状態を示す斜視図である。撮像装置１の前面部にはレンズ１５、ストロボ１６が配置されている。電池蓋１４は閉状態から電池挿入方向に対して、直行する方向に移動自在であり、電池挿入方向に直行する方向に移動した後に、図３に示す電池蓋端部の軸１４aを中心に回転自在で回転を行い、電池１１の電池ケース１２への挿脱を可能とする。なお、電池の挿入方向、ならびに電池蓋の構成は本実施例に限定されるものではない。
【００１５】
図４は本発明を用いた電気機器の例として撮像装置１を電池挿入方向に対して垂直な面で切断した、電池未挿入時にて、電池蓋１４が開状態での、電池ケース１２の断面図である。可動壁１３は最大公差で作られた電池を上回る内寸を持つ電池ケース１２とほぼ同一面に配置されているので、電池の挿脱時に電池の動きを妨げる事はない。
【００１６】
図１は本発明を用いた電気機器の例として撮像装置１の電池挿入方向に対して垂直な面で切断し、電池１１を挿入した状態にて、電池蓋１４を閉じた状態での、電池ケース１２の断面図である。
【００１７】
可動壁１３は、電池１１に対して付勢された状態である為、電池ケース内でガタつきを発生させる事が不可能となる。
【図面の簡単な説明】
【００１８】
【図１】本発明の実施例に係る電池ケースの部分断面図である
【図２】本発明の実施例に係る電池ケースの斜視図である
【図３】本発明の実施例に係る電池ケースの電池挿入軸に平行な面を含む部分断面図である
【図４】本発明の実施例に係る電池ケースの電池挿入軸に直行する面の部分断面図である
【図５】従来技術を示す図である
【符号の説明】
【００１９】
１  撮像装置
１１  電池
１２  電池ケース
１３  可動壁
１４  電池蓋
１５  レンズ
１６  ストロボ
【図１】
2009129828.tif 000003
【図２】
2009129828.tif 000004
【図３】
2009129828.tif 000005
【図４】
2009129828.tif 000006
【図５】
2009129828.tif 000007